(57)【要約】【課題】分割フィンと、長尺フィンをある一定の配合率で配列することにより、冷却能力が向上し、また除霜効率が向上する冷却器を提供する。【解決手段】蛇行状の冷媒チューブ４に、少なくとも１蛇行列が貫通し、かつ前記蛇行列方向に複数分割された分割フィン６と、冷媒チューブ４の全ての蛇行列が貫通した一枚の長尺フィン７を具備し、分割フィン６と長尺フィン７を所定の範囲内の率となるように配列したもので、分割フィン６により、気流が乱流して止水域を減少し、隣り合うフィンへ気流が流れ易くなって空気側の熱伝達率を向上する。これにより、熱交換器の性能を向上することができる。また、長尺フィン７により、除霜時、長尺フィン７を介して除霜ヒータ８の熱を冷却器１全体に伝え、除霜効率の向上をはかることができる。【選択図】図１
2010261678.tif 000002
【特許請求の範囲】
【請求項１】
直管部および曲管部が交互に連続して蛇行状に曲げ加工されることにより、少なくとも複数の蛇行列を形成した冷媒チューブと、前記冷媒チューブにおける前記曲管部が貫通した長孔を具備し、前記直管部の管軸方向に所定の間隔で配置された複数のプレ−トフィンを具備した冷却器であって、前記複数のプレ−トフィンは、所定単位の蛇行列が貫通し、かつ前記蛇行列方向に複数分割された分割フィンと、前記冷媒チューブの全ての蛇行列が貫通した長尺フィンを具備し、前記分割フィンと長尺フィンを所定の範囲内の率となるように配列した冷却器。
【請求項２】
前記最下段の分割フィンおよび長尺フィンの下端から所定間隔を介して前記各フィンを加熱する除霜ヒータを設けた請求項１に記載の冷却器。
【請求項３】
前記分割フィンを貫通する冷媒チューブの蛇行列を二列とし、さらに、前記長尺フィンの配合率を、前記冷媒チューブの一蛇行列における直管部の間軸方向に配置したフィン全体の約１０％から約２０％の範囲とした請求項１または２に記載の冷却器。
【請求項４】
一面が開口し、内部を収納物品の貯蔵空間とする断熱箱製の本体と、前記開口を閉塞する開閉可能な扉体と、前記貯蔵空間内を冷却する冷凍サイクル装置を具備し、前記冷凍サイクル装置を、圧縮機、放熱器、減圧装置、冷却器を順次配管によって環状に接続した冷媒循環回路を具備する構成とし、さらに、前記本体に、冷却室、および前記貯蔵空間と前記冷却室を連通する通風回路を設け、この冷却室内に、前記冷却器と、該冷却器によって冷却された冷気を、前記通風回路を介して前記貯蔵空間内へ供給し、該貯蔵空間内から前記冷却室内へ循環させる送風機を設けた物品貯蔵装置であって、前記冷却器を、請求項１から３のいずれか一項に記載の冷却器とした物品貯蔵装置。
【請求項５】
前記冷却器における着霜量が多い領域の前記長尺フィンの配合率を、他の領域における長尺フィンの配合率よりも高くした請求項４に記載の物品貯蔵装置。
【請求項６】
前記本体内に、冷却温度帯の異なる貯蔵空間を設け、前記それぞれの貯蔵空間に連通する通風回路の一端を前記冷却室の異なる箇所にそれぞれ開口し、さらに前記冷却器の下部に除霜ヒータを配置し、また、前記冷却器を、前記冷却温度の高い開口に近い領域における前記長尺フィンの配列密度が、前記冷却温度の低い開口に近い領域における長尺フィンの配列密度よりも高くなるように構成した請求項４に記載の物品貯蔵装置。
【請求項７】
前記冷却器の下部に除霜ヒータを配置し、さらに前記冷却器を、該冷却器を構成する冷媒チューブの直管部が傾斜した配置とし、前記傾斜の低位部における前記長尺フィンの配合率を、前記傾斜の高位部における前記長尺フィンの配合率よりも高くした請求項４に記載の物品貯蔵装置。
【請求項８】
前記冷却部の下部に、除霜ヒータを配置し、さらに、前記冷却器において、該冷却器を通過する風量分布における風量の多い領域の長尺フィンの配合率を、前記風量分布における風量の少ない領域の長尺フィンの配合率よりも高くした請求項４に記載の物品貯蔵装置。
【発明の詳細な説明】
【技術分野】
【０００１】
本発明は、冷蔵庫等の冷凍機器に用いられる冷却器、およびその冷却器を具備した物品貯蔵装置に関するものである。
【背景技術】
【０００２】
近年、冷蔵庫における省エネが市場において強く求められる中、除霜時の消費電力も見直されている。その一例として、冷凍機器等に用いられる冷却器において、除霜効率の向上をはかるべく、長手方向に分割しない長尺フィンで構成された冷却器が知られている（例えば、特許文献１参照）。
【０００３】
また、蛇行状に曲げ加工された冷媒チューブの各蛇行列に、分割されたフィンを所定間隔毎に配置した完全独立フィン型の熱交換器も知られている（例えば、特許文献２参照）。
【０００４】
さらに、長尺と短尺のフィンを組み合わせ、これらのフィンを適宜配列した熱交換器も知られている（例えば、特許文献３参照）。
【０００５】
図１２および図１３は、上記特許文献１に記載された従来の冷却器を示すものである。
【０００６】
上記従来の冷却器１０１の構成は、冷媒チューブ１０２を６段の蛇行状に屈曲させ、この屈曲した冷媒チューブ１０２を、長手方向（段方向）に延びる一枚のフィン１０３に設けた長孔１０４に挿嵌した所謂サーペンタイプの冷却器で、除霜時は、フィン１０３を介して除霜ヒータ（図示せず）の熱を冷却器１０１全体に伝え、除霜効率の向上をはかるしくみである。
【先行技術文献】
【特許文献】
【０００７】
【特許文献１】特許第２８１１６０１号公報
【特許文献２】特開２００７−９３０３６号公報
【特許文献３】特開２００５−３０８２９３号公報
【発明の概要】
【発明が解決しようとする課題】
【０００８】
しかしながら、上記特許文献１の構成では、冷却器１０１を例えば冷蔵庫に用いた場合、冷却運転に伴ってフィン１０３に着霜が生じ、その着霜は、相互のフィン１０３間にまたがって成長し、やがてはそのフィン１０３の間で目詰まりを発生させ、その結果、冷却器１０１を通過する風量が低下し、冷却器１０１の能力が低下するという課題を有していた。
【０００９】
また、かかる冷却器１０１の着霜を除霜運転により融解した場合、水滴が表面張力によって相互のフィン１０３の間に跨って残り、冷却運転が再起動されると、すぐに着霜が始まることがある。これを解消するためには、フィン１０３相互の間隔を大きく設定する、あるいは、水滴が蒸発するまで除霜運転を行なうことが必要となる。
【００１０】
ところが、前者の場合は、フィン１０３の使用枚数が減少し、冷却器１０１の性能向上が望めなくなり、また、後者の場合は、除霜運転に伴う消費電力量が増加し、さらに、この種の冷却器１０１を搭載した冷蔵庫等の物品貯蔵装置は、再冷却運転までの時間短縮を
はかることが困難となり、貯蔵温度の変動が大きくなるという課題が発生する。
【００１１】
さらに、特許文献２の構成は、空気側熱伝達率も高く、冷却器１０１の冷却（熱交換）性能を引き出すことはできるが、それぞれのフィンが分断されているため、除霜運転時において、除霜ヒータの熱を冷却器全体に伝える効率が悪く、冷却器の除霜特性の向上をはかることが困難であった。
【００１２】
また、特許文献３の構成は、特許文献２の構成よりも熱交換面積を確保することはできるが、気流の衝突によって得られるフィン先端での境界層前縁効果が少ないため、十分な空気側熱伝達率を得ることが難しく、限られた容積（大きさ）で冷却器の性能を引き出すことが困難な構成であった。
【００１３】
本発明は、上記従来の課題を解決するもので、冷却（熱交換）性能を確保し、また、除霜効率の向上をはかった高効率の熱交換器、および再冷却運転までの時間短縮をはかった物品貯蔵装置の提供を目的とするものである。
【課題を解決するための手段】
【００１４】
上記従来の課題を解決するために、本発明の冷却器は、直管部および曲管部が交互に連続して複数の蛇行列を形成した冷媒チューブが貫通するプレートフィンを、所定単位の蛇行列が貫通し、かつ前記蛇行列方向に複数分割された分割フィンと、前記冷媒チューブの全ての蛇行列が貫通した一枚の長尺フィンを、所定範囲内の率で配列したものである。
【００１５】
かかることにより、空気側熱伝達率と熱交換表面積の確保を両立し、かつ除霜のための熱の伝達を良好に行なうことができる冷却器を得ることができる。
【００１６】
また、本発明の物品貯蔵装置は、上記冷却器を搭載することにより、冷却器の除霜に要する時間短縮をはかり、貯蔵温度の変動を少なくした冷却運転を行なうことができる。
【発明の効果】
【００１７】
本発明の冷却器は、蛇行状に曲げ加工された冷媒チューブの所定単位の蛇行列が貫通し、かつ前記蛇行列方向に複数分割された分割フィンと、前記冷媒チューブの全ての蛇行列が貫通した一枚の長尺フィンを、所定範囲内の率で配列したことにより、フィンの分割構成に起因した高い空気側熱伝達率を維持し、一方で長尺フィンの表面積により、冷却器の表面積を補うことができ、空気側熱伝達率と熱交換表面積の確保を両立した冷却器を得ることができる。また、長尺フィンによる前記蛇行列間の熱伝達が可能となり、除霜のための熱の伝達を良好に行なうことができる。
【００１８】
したがって、冷却器の能力が向上し、除霜効率が向上する冷却器を提供することができる。
【００１９】
さらに、本発明の物品貯蔵装置は、上記冷却器を搭載することにより、高効率の冷却運転を可能とし、また、冷却器の除霜に要する時間短縮をはかり、貯蔵温度の変動を少なくした冷却運転を行なうことができ、貯蔵品質の安定化をはかることができる。
【図面の簡単な説明】
【００２０】
【図１】本発明の実施の形態１における冷却器の正面図
【図２】同実施の形態１における冷却器の左側面図
【図３】同実施の形態１における冷却器の長尺フィンの配合率の変化に伴う冷却器性能Ｑと空気側熱伝達率ｈの変化の関係を示す特性図
【図４】フィンの配合率を異ならせた複数の冷却器の除霜時間特性図
【図５】本発明の実施の形態２における物品貯蔵装置の縦断面図
【図６】同実施の形態２における物品貯蔵装置のシステム構成の概要を示す模式図
【図７】同実施の形態２における物品貯蔵装置の冷却室の内部構成を示す正面側からの模式図
【図８】本発明の実施の形態３における物品貯蔵装置の冷却室の内部構成を示す正面側からの模式図
【図９】本発明の実施の形態４における物品貯蔵装置の冷却室の内部構成を示す正面側からの模式図
【図１０】本発明の実施の形態５における物品貯蔵装置の冷却室の内部構成を示す正面側からの模式図
【図１１】本発明の実施の形態６における物品貯蔵装置の冷却室の内部構成を示す正面側からの模式図
【図１２】従来例を示す冷却器の正面図
【図１３】同冷却器におけるフィンの正面図
【発明を実施するための形態】
【００２１】
請求項１に記載の発明は、直管部および曲管部が交互に連続して蛇行状に曲げ加工されることにより、少なくとも複数の蛇行列を形成した冷媒チューブと、前記冷媒チューブにおける前記曲管部が貫通した長孔を具備し、前記直管部の管軸方向に所定の間隔で配置された複数のプレートフィンを具備した冷却器であって、前記複数のプレートフィンは、所定単位の蛇行列が貫通し、かつ前記蛇行列方向に複数分割された分割フィンと、前記冷媒チューブの全ての蛇行列が貫通した長尺フィンを具備し、前記分割フィンと長尺フィンを所定の範囲内の率となるように配列したものである。
【００２２】
かかることにより、フィンの分割構成に起因した高い空気側熱伝達率を維持し、一方で長尺フィンの表面積により、冷却器の表面積を補うことができ、空気側熱伝達率と熱交換表面積の確保を両立し、性能の向上を可能とする冷却器を得ることができる。
【００２３】
請求項２に記載の発明は、請求項１に記載の発明において、前記最下段の分割フィンおよび長尺フィンの下端から所定間隔を介して前記各フィンを加熱する除霜ヒータを設けたものである。
【００２４】
かかることにより、前記除霜ヒータによる輻射熱と、前記長尺フィンからの伝達熱によって前記フィンおよび冷媒チューブを加熱することができ、除霜効率を向上し、除霜時間の短縮化をはかることができる。
【００２５】
請求項３に記載の発明は、請求項１または２に記載の発明において、前記分割フィンを貫通する冷媒チューブの蛇行列を二列とし、さらに、前記長尺フィンの配合率を、前記冷媒チューブの一蛇行列における直管部の間軸方向に配置したフィン全体の約１０％から約２０％の範囲としたものである。
【００２６】
かかることにより、高効率の熱交換作用を行なうための条件である空気側熱伝達率を確保し、かつ長尺フィンにより熱交換面積の確保と冷媒チューブ相互間の熱伝達作用が可能となり、冷却器の性能の低下を抑制し、除霜ヒータを採用した場合は、除霜時間の短縮化をはかることができる。
【００２７】
請求項４に記載の発明は、一面が開口し、内部を収納物品の貯蔵空間とする断熱箱製の本体と、前記開口を閉塞する開閉可能な扉体と、前記貯蔵空間内を冷却する冷凍サイクル装置を具備し、前記冷凍サイクル装置を、圧縮機、放熱器、減圧装置、冷却器を順次配管によって環状に接続した冷媒循環回路を具備する構成とし、さらに、前記本体に、冷却室
、および前記貯蔵空間と前記冷却室を連通する通風回路を設け、この冷却室内に、前記冷却器と、該冷却器によって冷却された冷気を、前記通風回路を介して前記貯蔵空間内へ供給し、該貯蔵空間内から前記冷却室内へ循環させる送風機を設けた物品貯蔵装置であって、前記冷却器を、請求項１から３のいずれか一項に記載の冷却器とした物品貯蔵装置である。
【００２８】
かかる構成により、前記冷却器の高効率化に伴い、前記貯蔵空間内を効率よく冷却することができ、また、除霜作用の効率化に伴い、冷却作用の長時間の中断も抑制することができ、この冷却作用の中断に伴う貯蔵空間内の温度変動を抑制することができる。
【００２９】
請求項５に記載の発明は、請求項４に記載の発明において、前記冷却器における着霜量が多い領域の前記長尺フィンの配合率を、他の領域における長尺フィンの配合率よりも高くしたものである。
【００３０】
かかることにより、冷却器に生成した霜の融解速度の一様化がはかれ、斑の少ない除霜作用が可能となり、冷却の再運転後において、前記除霜斑に伴い、除霜運転が早期に行なわれる不具合を解消することができる。
【００３１】
請求項６に記載の発明は、請求項４に記載の発明において、前記本体内に、冷却温度帯の異なる貯蔵空間を設け、前記それぞれの貯蔵空間に連通する通風回路の一端を前記冷却室の異なる箇所にそれぞれ開口し、さらに前記冷却器の下部に除霜ヒータを配置し、また、前記冷却器を、前記冷却温度の高い開口に近い領域における前記長尺フィンの配列密度が、前記冷却温度の低い開口に近い領域における長尺フィンの配列密度よりも高くなるように構成したものである。
【００３２】
かかることにより、前記冷却器において、冷却温度の低い側よりも、湿度を多く含んだ冷却温度の高い側に偏って着霜が多く発生した場合であっても、配列密度が高い長尺フィンの熱伝達作用により、冷却温度の低い側よりも多く除霜ヒータの熱量が冷却温度の高い側に伝達され、偏って着霜した領域の除霜を行なうことができる。その結果、冷却器全体の除霜斑を抑制し、冷却の再運転後において、前記除霜斑に伴い、除霜運転が早期に行なわれる不具合を解消することができる。
【００３３】
請求項７に記載の発明は、請求項４に記載の発明において、前記冷却器の下部に除霜ヒータを配置し、さらに前記冷却器を、該冷却器を構成する冷媒チューブの直管部が傾斜した配置とし、前記傾斜の低位部における前記長尺フィンの配合率を、前記傾斜の高位部における前記長尺フィンの配合率よりも高くしたものである。
【００３４】
かかることにより、前記圧縮機の運転停止に伴い、前記冷却器の低位部（低位領域）に溜まる冷媒の冷却作用によってこの低位部に高位部（高位領域）よりも多く着霜が発生した場合であっても、配列密度が高い長尺フィンの熱伝達作用により、高位部よりも多く除霜ヒータの熱量が低位部に伝達され、低位部の除霜を行なうことができる。その結果、冷却器全体の除霜斑を抑制し、冷却の再運転後において、前記除霜斑に伴い、除霜運転が早期に行なわれる不具合を解消することができる。
【００３５】
請求項８に記載の発明は、請求項４に記載の発明において、前記冷却部の下部に、除霜ヒータを配置し、さらに、前記冷却器において、該冷却器を通過する風量分布における風量の多い領域の長尺フィンの配合率を、前記風量分布における風量の少ない領域の長尺フィンの配合率よりも高くしたものである。
【００３６】
かかることにより、前記冷却器において、風量分布の関係から偏って多く着霜が発生し
やすい部位（領域）への熱伝達量を多くすることができ、その結果、着霜量が多い部位へ前記除霜ヒータの発熱量を多く伝達し、冷却器全体の除霜斑を抑制することができる。したがって、冷却の再運転後において、前記除霜斑に伴い、除霜運転が早期に行なわれる不具合を解消することができる。
【００３７】
以下、本発明の実施の形態について、図面を参照しながら説明する。なお、この実施の形態によって本発明が限定されるものではない。
【００３８】
（実施の形態１）
図１は、本発明の実施の形態１における冷却器の正面図である。図２は、同実施の形態１における冷却器の左側面図である。図３は、同実施の形態１における冷却器の長尺フィンの配合率の変化に伴う冷却器性能Ｑと空気側熱伝達率ｈの変化の関係を示す特性図である。図４は、長尺フィンの配合率を異ならせた複数の冷却器の除霜時間特性図である。
【００３９】
図１、図２において、冷却器１は、例えば冷蔵庫の冷凍システム内で使用されるもので、直管部２と曲管部３が交互に連続する蛇行状に加工され、内部を冷媒が流れる冷媒チューブ４と、冷媒チューブ４の曲管部３が貫通し、直管部２と密着した長孔５（図２）が形成された複数の分割フィン６と、同様に冷媒チューブ４が貫通した長孔５を形成した長尺フィン７を具備している。
【００４０】
本実施の形態１においては、冷媒チューブ４は、図中の上下方向において直管部２が千鳥配置となった８蛇行列で、図２に示す如く８列蛇行が左右にも形成されていることから２段の蛇行加工と定義する。
【００４１】
そして、長孔５と冷媒チューブ４の密着は、周知の如く冷媒チューブ４が分割フィン６と長尺フィン７を貫通した状態で拡管加工することにより行なわれる。
【００４２】
したがって、分割フィン６は、冷媒チューブ４の蛇行列（上下）方向において４枚位置し、かつ冷媒チューブ４における直管部２の管軸方向において所定間隔毎に配置されており、図１、図２において、最上部の分割フィン６を第一、第二蛇行列が、その下部の分割フィン６を第三、第四蛇行列が、さらに下部の分割フィン６を第五、第六蛇行列が、そして最下部の分割フィン６を第七、第八蛇行列がそれぞれ貫通している。また、長尺フィン７は、分割フィン６を６枚おきにして配置されており、冷媒チューブ４の直管部２の管軸方向には、図１のＴで示す範囲において、分割フィン６と長尺フィン７が合わせて４０枚配置されている。
【００４３】
ここで、図１の矢印Ｘで示す通風方向の入口側に位置する最下部の分割フィン６は、通風抵抗を少なくするために、長尺フィン７相互間における配置枚数が他の箇所よりも少なく設定されている。
【００４４】
さらに、冷却器１の下部には、冷却器１を加熱するための周知の構成からなる除霜ヒータ８が設けられている。
【００４５】
そして冷却器１と除霜ヒータ８の間には、冷却器１の除霜時に発生するドレン水（霜が溶けた水）の除霜ヒータ８への滴下を防止するための保護カバー９が配置されている。この保護カバー９は、周知の如く除霜ヒータ８によって加熱された空気の対流が可能となるように、中央部に対流口１０が設けられている。
【００４６】
上記除霜ヒータ８および保護カバー９は、適宜手段にて冷却器１と一定の距離を維持して固定されている。したがって、除霜ヒータ８による冷却器１の過剰な加熱を抑制し、冷
凍機油の劣化を防止することができる。
【００４７】
以上のように構成された冷却器１において、空気を冷却（熱交換）する動作について説明する。
【００４８】
図１、図２の矢印Ｘで示す如く、熱交換のための気流は、分割フィン６と連続フィン７の下方から上方に向かって通過する。このとき、分割フィン６の前縁効果により、気流が乱流して止水域を減少し、隣り合うフィン６へ気流が流れ易くなって空気側熱伝達率を向上する。これにより、冷却器１の冷却性能を向上することができる。
【００４９】
さらに、長孔５周辺においては、冷媒チューブ４の直管部２が千鳥配置となっていることから長孔５周辺に生じる気流の澱みが抑制され、その結果、部分的に集中した着霜が抑制され、分割フィン６および連続フィン７上に略一様（略均一）に着霜させることができる。
【００５０】
そして、冷却運転に伴い、冷却器１には着霜が発生し、その着霜は、冷却運転の時間経過に伴って成長する。
【００５１】
所定時間冷却運転が行なわれると、冷却運転から除霜運転に切換わり、除霜ヒータ８に通電される。したがって、冷却器１は、除霜ヒータ８の保護カバー９を介しての輻射熱と、対流口１０からの上昇気流熱によって加熱され、冷却器１に付着した霜が溶かされる。溶けた霜は水となり、保護カバー９によって除霜ヒータ８に滴下することなく適宜箇所に案内される。
【００５２】
上述の如く、所定時間除霜運転が行なわれることに伴い、冷却器１に略一様の状態で付着した霜は、斑なく略一様に溶かされる。ここで、冷媒チューブ４の直管部２の管軸方向に配列した分割フィン６および長尺フィン７の配列間隔、および蛇行列方向の配列間隔を適宜設定することにより、除霜後のドレン水が各フィン間に表面張力でブリッジ状態となり、残留することも抑制でき、冷却運転が再起動された場合においても安定した冷却性能（熱交換性能）を確保することができる。
【００５３】
ここで、本実施の形態１の冷却器１は、空気側熱伝達率が高く、熱交換面積が小さい分割フィン６と、熱交換面積が大きく、空気側熱伝達率が低い長尺フィン７を、一定の規則を基に混合配置した構成であり、分割フィン６と長尺フィン７は、相反する特性を有している。
【００５４】
すなわち、分割フィン６は、高い空気側熱伝達率が得られる反面、熱交換面積の確保が困難な構成であり、長尺フィン７は、熱交換面積の確保に有利な構成である反面、高い空気側熱伝達率が得られ難い構成である。
【００５５】
本実施の形態１における冷却器１は、冷凍システム内で用いられ、かつ冷却性能（熱交換性能）を最大限に引き出せるような空気側熱伝達率と熱交換面積を有するように構成するもので、管長約７ｍ、φ８mm径の冷媒チュ−ブ４を、矢印Ｘで示す気流方向と平行に蛇行列が８列、気流方向Ｘと直角方向に２段の配列となるように曲げ加工し、この冷媒チューブ４に、図２のｔで示す幅６０mm、Ｗで示す高さ１７２mmの長尺フィン７と、ｔで示す幅６０mm、ｗで示す高さ４０mmで、図２中上下において４mmの間隔ｃを介して配置した分割フィン６を、図１のＴで示す３００mmの範囲において４０枚配置し、かつ気流と平行となるように冷媒チュ−ブ４に密着、配列したものである。
【００５６】
そして、冷媒チューブ４の直管部２における管軸方向に配列した分割フィン６と長尺フ
ィン７の配合率を０％から適宜変更し、一般にＷｉｌｓｏｎ−Ｐｌｏｔ法と称される手法を用い、それぞれの配合率における空気側熱伝達率ｈの変化推移と、熱交換器性能Ｑの変化推移を測定した。
【００５７】
なお、上記測定の条件として、冷媒チュ−ブ４に７０℃の温水を通し、気温２０℃の気流を冷却器１に流すこととし、その条件を安定させた状態で、冷媒チュ−ブ４の中を流れる前記温水の流量と、前記気流の流量を段階的に変えて冷媒チュ−ブ４の入口温水の温度および出口温水の温度を測定したものである。この測定値から、冷却器１の空気側熱伝達率ｈを算出している。
【００５８】
前記空気側熱伝達率ｈは、フィン端部と気流との接触箇所（前縁効果が得られる面積）に比例して向上することが知られている。
【００５９】
また、冷却器１の性能（熱交換器性能）Ｑは、空気側熱伝達率ｈに加え、冷却器１の表面積Ａｏと、前記冷媒チュ−ブの入口および出口における温水の温度差より求められる。
【００６０】
図３は、上述の如く長尺フィン７の配合率の変化に伴う冷却器性能Ｑと空気側熱伝達率ｈの変化の推移をグラフ化したもので、冷却器１の性能が比較的安定している長尺フィン７の配合率の範囲は、０〜約２０％の領域である。
【００６１】
しかし、長尺フィン７の配合率が２０％を超えると、空気側熱伝達率ｈの減少の効果が、冷却器の表面積Ａｏの増加の効果を上回り、冷却器１の性能は低下する傾向となる。
【００６２】
換言すると、長尺フィン７の配合率が０〜約２０％の領域では、冷却器１の空気側熱伝達率ｈの低下を長尺フィン７の表面積の増加で補い、結果として冷却器１の性能を確保することができる。
【００６３】
さらに、本実施の形態１における冷却器１は、除霜作用についても一定の高い性能が得られるようにするもので、除霜ヒータ８の熱を効率よく冷媒チューブ４および分割フィン６、長尺フィン７へ伝達する必要がある。
【００６４】
この除霜特性の評価については、同じ冷蔵庫に、長尺フィン７の配合率が０％の冷却器、２０％の冷却器、５０％の冷却器を搭載し、同一の条件（外気温３０℃の無負荷連続運転）のもとで各冷却器に着霜を生じさせ、１８０Ｗ出力の除霜ヒータ８の加熱作用による除霜時間を測定した。
【００６５】
結果は、図４に示す如く、長尺フィン７の配合率０％、即ち、長尺フィン７を全く使用していない冷却器と比較して、長尺フィン７の配合率２０％の冷却器と、長尺フィン７の配合率５０％の冷却器がともに除霜時間を短縮する傾向にあり、しかも、その時間短縮は、長尺フィン７の配合率が大きくなるにつれて短縮する傾向にある。
【００６６】
換言すると、上記構成の分割フィン６と長尺フィン７が混在する冷却器は、分割フィン６によって気流が乱流し、止水域を減少させて隣り合う分割フィン６へ気流を流れ易くする。これに伴い、空気側熱伝達率ｈが向上し、冷却器（熱交換器）１の性能を向上することができる。
【００６７】
また、長尺フィン７により、除霜時における除霜ヒータ８の熱を冷却器１全体に伝え、除霜効率の向上をはかることができる。
【００６８】
したがって、冷却器１の冷却性能（熱交換器性能）Ｑの確保と、除霜性能（除霜時間の
短縮化）の向上の観点から、長尺フィン７の配合率を、冷媒チューブ４の二蛇行列（一単位蛇行列）における直管部２の管軸方向に配置したフィン全体の約１０％から約２０％の範囲に設定することにより、冷却器１の冷却性能は確保され、なおかつ除霜時間の短縮化も可能となる。
【００６９】
かかる構成とすることにより、高い冷却（熱交換）性能を維持し、除霜時間の長期化を抑制した冷却器を得ることができる。
【００７０】
また、分割フィン６を貫通する冷媒チューブ４の蛇行列数についても、本実施の形態１においては、二蛇行列を一単位としたが、冷却器（熱交換器）の大きさ等に応じて一単位当たりの蛇行列数を設定することができ、同様の作用効果が期待できる。
【００７１】
（実施の形態２）
図５は、本発明の実施の形態２における物品貯蔵装置の縦断面図である。図６は、同実施の形態２における物品貯蔵装置のシステム構成の概要を示す模式図である。図７は、同実施の形態２における物品貯蔵装置の冷却室の内部構成を示す正面側からの模式図である。
【００７２】
なお、本実施の形態２においては、物品貯蔵装置を、その一例として、実施の形態１で説明した、長尺フィン７の配合率がフィン全体の約１０％から約２０％の範囲の冷却器１を具備した構成の冷凍冷蔵庫として説明する。したがって、実施の形態１と同一の構成要件については、同一の符号を付して説明する。
【００７３】
図５乃至図７において、本体１１は、周知の如く一面が開口した断熱箱体より構成され、内部は、断熱仕切壁１２により、異なる温度帯の冷蔵室（本発明の貯蔵空間に相当）１３と冷凍室（本発明の貯蔵空間に相当）１４に区画され、前記開口面には、冷蔵室１３、冷凍室１４にそれぞれ対応して断熱扉１５、１６が開閉可能に設けられている。
【００７４】
本体１の背面下部には、機械室１７が設けられ、冷凍サイクル装置を構成する圧縮機１８等が配置されている。この冷凍サイクル装置は、圧縮機１８、放熱器１９、減圧装置２０、冷却器１を順次配管によって環状に接続した冷媒循環回路を具備している。
【００７５】
また、冷凍室１４の背面側には、冷却器１を配置した冷却室２１が設けられている。この冷却室２１には、冷却器１の他に、冷却器１で冷却された空気を冷蔵室１３、冷凍室１４へそれぞれ循環させる送風機２２と、冷却器１の除霜を行なう除霜ヒータ８が配置され、また冷却室２１の上部は、貫通ダクト２３および供給ダクト（本発明の通風回路に相当）２４を介して冷蔵室１３内に連通し、冷却室２１の下部には、冷凍室１４内と連通する開口３０が設けられている。
【００７６】
そして、冷蔵室１３における供給ダクト２４の先端部、および冷却室２１の上部前面には、冷却室２１からの冷気の供給を制御する周知の構成からなるダンパー装置２５、２６が設けられている。このダンパー装置２５、２６は、冷蔵室１３側にのみ設け、冷凍室１４への冷気の供給は、圧縮機１８と送風機２２の運転制御によって行なうこともできる。ここで、本発明は、ダンパー装置２５、２６の動作を要旨としないため、ダンパー装置２５、２６の詳細な構成および動作の説明は省略する。
【００７７】
さらに、冷蔵室１３の底面には、冷蔵室１３内の冷気を冷却室２１へ導く戻りダクト（本発明の通風回路に相当）２７の流入口２８が開口している。また、冷却室２１における冷却器１の風上位置には、戻りダクト２７の戻り口２９が開口している。
【００７８】
そして、ダンパー装置２５、２６、圧縮機１８および送風機２２の運転は、周知の如く、冷蔵室１３および冷凍室１４それぞれに配置された温度検出手段（図示せず）の検出温度によって制御され、また、圧縮機１８は、冷却器１に付着した霜の量、あるいは累積運転時間等によっても制御される。
【００７９】
上記構成の冷凍冷蔵庫において、送風機２２および圧縮機１８が運転されると、冷却器１により冷却された冷気は、矢印ｘで示すようにダンパー装置２６の開放動作に伴って冷凍室１４内へ流入し、ここで冷凍室１４内の貯蔵物（図示せず）を冷却する。そして、冷却室２１の下部から冷却室２１内に流入し、ここで冷却器１によって冷却され、再び冷凍室１４へ流入する循環流を繰り返す。
【００８０】
また冷却室２１の冷気の一部は、矢印ｙで示すように貫通ダクト２３および供給ダクト２４を通過し、ダンパー装置２５の開放動作に伴って冷蔵室１３へ流入し、ここで冷蔵室１３内の貯蔵物（図示せず）を冷却する。そして、戻りダクト２７の流入口２８から戻りダクト２７を通過して戻り口２９から冷却室２１内へ流入し、ここで冷却器１によって冷却され、再び冷蔵室１３へ流入する循環流を繰り返す。
【００８１】
したがって、ダンパー装置２５を冷凍室１４の温度よりも高い温度で開閉動作させることにより、冷蔵室１３は冷凍室１４よりも高い温度の貯蔵空間となり、またダンパー装置２６を所定の冷凍温度範囲で開閉することにより、冷凍室１４は、冷蔵室１３よりも低温の貯蔵空間となる。
【００８２】
そして、上述の如く冷却運転が継続されることに伴い、冷却器１では、冷媒チューブ４と分割フィン６、長尺フィン７にそれぞれ着霜が生じ、適宜手段によってこの着霜が検出され、除霜運転が行なわれる。
【００８３】
次に、図７を用いて除霜運転について説明する。
【００８４】
除霜運転は、圧縮機１８および送風機２２の運転が停止され、除霜ヒータ８に通電される。したがって、除霜ヒータ８は発熱し、その熱は、輻射作用によって分割フィン６、長尺フィン７を加熱し、これらから熱伝達作用によって冷媒チューブ４も加熱される。
【００８５】
その結果、冷媒チューブ４内の冷媒も加熱され、冷媒チューブ４内を移動し、この冷媒の移動と分割フィン６、長尺フィン７の加熱作用により、冷却器１の着霜は、徐々に溶けて水となり、周知の如くドレン皿（図示せず）へ集められ、排出される。
【００８６】
特に、冷媒チューブ４への熱伝達は、長尺フィン７からの熱伝達が大きく作用し、除霜ヒータ８から離れた図７中の上方に位置する冷媒チューブ４の加熱も可能となる。
【００８７】
したがって、除霜ヒータ８の加熱作用による冷却器１の熱分布が良好となり、斑の少ない除霜が可能となり、冷却運転が再起動されても、除霜斑に伴う局部的な着霜の成長が緩和でき、効率のよい冷却運転を行なうことができる。
【００８８】
上述の如く、実施の形態１の冷却器１を搭載した冷凍冷蔵庫は、冷却器１の高い性能と良好な除霜特性を両立することができるもので、除霜運転に伴い、冷却運転の長時間に亘る中断も抑制することができ、冷却運転、除霜運転に伴う電力消費量を抑制することができる。
【００８９】
（実施の形態３）
図８は、本発明の実施の形態３における物品貯蔵装置の冷却室の内部構成を示す正面側
からの模式図である。ここで、物品貯蔵装置とする冷凍冷蔵庫の構成は、先の実施の形態２と同様であるため、冷凍冷蔵庫の説明については図５、図６を援用する。また、本実施の形態３において、先の実施の形態１、２と同じ構成要件には、同一の符号を付して説明し、先の実施の形態２と相違する構成を主体に説明する。
【００９０】
図８において、先の実施の形態１、２とは、冷却器１Ａの構成において、分割フィン６を３５枚から３３枚に減らして長尺フィン７の枚数を５枚から７枚に増やし、特定の領域に偏って長尺フィン７の配合率を変えた構成が相違している。
【００９１】
すなわち、冷却室２１の戻り口２９に近い領域Ａは、分割フィン６と長尺フィン７を１６枚配置した中で長尺フィン７を４枚配置（配合率２５％）し、戻り口２９から離れた領域Ｂにおいては、分割フィン６と長尺フィン７を２４枚配置した中で長尺フィン７を３枚配置（配合率１２．５％）した構成としている。
【００９２】
ここで、領域Ａ、領域Ｂ、および各領域Ａ、Ｂにおける長尺フィン７の配合率は、模式的に定めたものであり、冷却器１Ａの能力、あるいは冷却器１Ａを通過する気流の分布等に応じて上記領域Ａ、領域Ｂ、および各領域Ａ、Ｂにおける長尺フィン７の配合率を適宜定める必要があることはいうまでもない。
【００９３】
上記構成において、冷却室２１へ流入する冷気は、矢印ｙ（以下、気流ｙと称す）で示す戻り口２９から流入する冷蔵室１３内からの気流と、矢印ｘ（以下、気流ｘと称す）で示す開口３０から流入する冷凍室１４内からの気流であるが、貯蔵温度の差から、冷却器１Ａには、異なる温度帯の気流ｘ、ｙが混在して通過することになる。
【００９４】
そして、冷蔵室１３からの気流ｙは、温度が高く、また湿度も気流ｘに比較して高いことから、冷却器１Ａには、着霜に斑が生じ、領域Ａ側での着霜量が多くなる。
【００９５】
除霜運転時は、除霜ヒータ８が発熱し、冷却器１Ａの全幅に亘って除霜ヒータ８の熱が照射され、冷却器１Ａは輻射熱によって加熱される。その結果、冷却器１Ａの着霜は、徐々に溶け始めるが、領域Ａにおける長尺フィン７の配置枚数が領域Ｂにおける長尺フィン７の配置枚数よりも多いため、図８中の上方への熱伝達量は、領域Ｂよりも多い状態にある。
【００９６】
したがって、領域Ａにおける着霜の融解は、領域Ｂよりも積極的ではあるが、着霜量が多いため、水滴となって除霜が終了するまでには時間を要することになる。
【００９７】
一方、領域Ｂにおいても同様に着霜を融解するが、伝達される熱量が領域Ａよりも少ないため、同様に水滴となって除霜が終了するまでには時間を要することになる。
【００９８】
これらのことから、温度の高い気流ｙが通過する領域Ａと温度の低い気流ｘが通過する領域Ｂを適宜定義し、また、冷却器１Ａにおいて、除霜が略一様に終了するように領域Ａ、Ｂにおける長尺フィン７と分割フィン６の配合率を定義することにより、偏った着霜に伴う除霜斑を解消する冷却器１Ａを得ることができ、しかも、分割フィン６と長尺フィン７の配合率は、冷媒チューブ４の一蛇行列における直管部２の管軸方向に配置したフィン全体の約１０％から約２０％の範囲となるように長尺フィン７の枚数を設定しているため、図３に示す冷却器性能Ｑと空気側熱伝達率ｈを高い範囲で維持した冷却器１Ａとすることができる。
【００９９】
したがって、冷凍冷蔵庫における構成の都合等から、冷却室２１へ流入する気流ｘ、ｙに温度差が伴う構成の場合、上述の如く着霜量の多い領域において長尺フィン７の配合率
を高くして伝達熱量が多くなるように分割フィン６および長尺フィン７の配列を設定することにより、冷却（熱交換）性能を維持し、除霜特性の優れた冷凍冷蔵庫を構成することができる。
【０１００】
（実施の形態４）
図９は、本発明の実施の形態４における物品貯蔵装置の冷却室の内部構成を示す正面側からの模式図である。ここで、物品貯蔵装置とする冷凍冷蔵庫の構成は、先の実施の形態２と同様であるため、冷凍冷蔵庫の説明については図５、図６を援用する。また、本実施の形態４において、先の実施の形態１乃至３と同じ構成要件には、同一の符号を付して説明し、先の実施の形態２、３と相違する構成を主体に説明する。
【０１０１】
図９において、本実施の形態４についても、先の実施の形態３と同様に、冷却器１Ａの構成において、分割フィン６を３５枚から３３枚に減らして長尺フィン７の枚数を５枚から７枚に増やし、特定の領域に偏って長尺フィン７の配合率を変えた構成が実施の形態１、２と相違している。
【０１０２】
さらに冷却室２１Ａについても、例えば、冷凍冷蔵庫の構成の関係から、冷蔵室１３の冷気が流入する戻り口２９と冷凍室１４の冷気が流入する開口３０Ａを、相対する位置（異なる位置）に設けた構成が相違している。
【０１０３】
これらのことから、冷却器１Ａにおいて、冷却室２１Ａの戻り口２９に近い領域Ａは、分割フィン６と長尺フィン７を１６枚配置した中で長尺フィン７を４枚配置（配合率２５％）し、開口３０Ａに近い領域Ｂにおいては、分割フィン６と長尺フィン７を２４枚配置した中で長尺フィン７を３枚配置（配合率１２．５％）した構成としている。
【０１０４】
ここで、領域Ａ、領域Ｂ、および各領域Ａ、Ｂにおける長尺フィン７の配合率は、模式的に定めたものであり、冷却器１Ａの能力、あるいは冷却器１Ａを通過する気流、風量、温度等の分布等に応じて上記領域Ａ、領域Ｂ、および各領域Ａ、Ｂにおける長尺フィン７の配合率を適宜定める必要があることはいうまでもない。
【０１０５】
上記構成において、冷却室２１Ａへ流入する冷気は、矢印ｙ（以下、気流ｙと称す）で示す戻り口２９から流入する冷蔵室１３内からの気流と、矢印ｘ（以下、気流ｘと称す）で示す開口３０Ａから流入する冷凍室１４内からの気流であるが、先の実施の形態３と同様に、貯蔵温度の差から、冷却器１Ａには、異なる温度帯の気流ｘ、ｙが混在して通過し、冷却器１Ａには、先の実施の形態３と同様に着霜に斑が生じ、領域Ａ側での着霜量が多くなる。
【０１０６】
除霜運転時は、除霜ヒータ８が発熱し、冷却器１Ａの全幅に亘って除霜ヒータ８の熱が照射され、冷却器１Ａは輻射熱によって加熱される。その結果、先の実施の形態３と同様に、領域Ａにおける着霜の融解は、領域Ｂよりも積極的ではあるが、着霜量が多いため、水滴となって除霜が終了するまでに時間を要し、また、領域Ｂにおいても同様に着霜を融解するが、伝達される熱量が領域Ａよりも少ないため、除霜が終了するまでに時間を要することになる。
【０１０７】
これらのことから、温度の高い気流ｙが通過する領域Ａと温度の低い気流ｘが通過する領域Ｂを適宜定義し、また、冷却器１Ａにおいて、除霜が略一様に終了するように領域Ａ、Ｂにおける長尺フィン７と分割フィン６の配合率を定義することにより、偏った着霜に伴う除霜斑を解消する冷却器１Ａを得ることができ、しかも、分割フィン６と長尺フィン７の配合率は、冷媒チューブ４の一蛇行列における直管部２の管軸方向に配置したフィン全体の約１０％から約２０％の範囲となるように長尺フィン７の枚数を設定しているため
、図３に示す冷却器性能Ｑと空気側熱伝達率ｈを高い範囲で維持した冷却器１Ａとすることができる。
【０１０８】
したがって、冷凍冷蔵庫における構成の都合等から、冷却室２１へ流入する気流ｘ、ｙに温度差が伴う構成の場合、上述の如く着霜量が多い領域において長尺フィン７の配合率を高くして伝達熱量が多くなるように分割フィン６および長尺フィン７の配列を設定することにより、冷却（熱交換）性能を維持し、除霜特性の優れた冷凍冷蔵庫を構成することができる。
【０１０９】
（実施の形態５）
図１０は、本発明の実施の形態５における物品貯蔵装置の冷却室の内部構成を示す正面側からの模式図である。ここで、物品貯蔵装置とする冷凍冷蔵庫の構成は、先の実施の形態２と同様であるため、冷凍冷蔵庫の説明については図５、図６を援用する。また、本実施の形態５において、先の実施の形態１、２と同じ構成要件には、同一の符号を付して説明し、先の実施の形態２乃至４と相違する構成を主体に説明する。
【０１１０】
図１０において、本実施の形態５についても、先の実施の形態３、４と同様に、冷却器１Ｂの構成において、分割フィン６を３５枚から３３枚に減らして長尺フィン７の枚数を５枚から７枚に増やし、特定の領域に偏って長尺フィン７の配合率を変えた構成が先の実施の形態１、２と相違している。
【０１１１】
そして、先の実施の形態２乃至４とは、冷却器１Ｂおよび除霜ヒータ８が若干傾斜して冷却室２１Ｂ内に配置され、さらに冷却室２１Ｂへはすべての気流ｘが開口３０Ｂより流入する構成としている点が相違する。
【０１１２】
この冷却器１Ｂの傾斜は、除霜時の水の滴下の都合で意図的に行なわれる場合、あるいは、水平を基調に取り付けるものの、組み立て誤差により若干傾斜する場合等による。
【０１１３】
いずれにしても、冷却器１Ｂの傾斜状態は、冷媒チューブ４の直管部２が傾斜した配置となっており、本実施の形態５では、前述した冷却器１Ｂにおいて長尺フィン７の配合率を変えた特定の領域を、冷却器１Ｂを構成する冷媒チューブ４の低位に位置する曲管部３とその近辺（図１０中左側の領域Ａ１）と定義し、長尺フィン７の配合率を、約５０％としている。
【０１１４】
ここで、領域Ａ１、および領域Ａ１における長尺フィン７の配合率は、模式的に定めたものであり、冷却器１Ｂの能力、傾斜度合い、あるいは冷却器１Ｂを通過する気流の分布等に応じて上記領域Ａ１、および領域Ａ１における長尺フィン７の配合率を適宜定める必要があることはいうまでもない。
【０１１５】
上記構成において、冷蔵室１３および冷凍室１４からの気流ｘは、開口３０Ｂより冷却室２１Ｂへ流入し、ここで冷却されて再び冷蔵室１３、冷凍室１４を循環する。そして、冷却器１Ｂを通過する際に水分が冷却器１Ｂに付着し、霜へと成長する。
【０１１６】
ここで、冷凍室１４の温度制御等の都合で、圧縮機１８が停止すると、この圧縮機１８の運転停止に伴い、冷却器１Ｂを構成する冷媒チューブ４の低位に位置する曲管部３（図１０中左側）には、冷媒が残留する。この残留した冷媒は、低温状態にあり、特に、制御の関係で送風機２２が継続運転されている場合は、残留した冷媒の冷却作用によってこの低位部を中心に領域Ａ１に着霜が生じ、その着霜は、高位部（残る領域Ｂ１）よりも多く発生した斑のある着霜状態となる。
【０１１７】
この斑のある着霜状態において冷却運転が停止し、除霜運転が開始されると、除霜ヒータ８の発熱作用により、冷却器１Ｂの全幅に亘って除霜ヒータ８の熱が照射され、冷却器１Ｂは輻射熱によって加熱される。
【０１１８】
その結果、冷却器１Ｂの着霜は、徐々に溶け始めるが、領域Ａ１における長尺フィン７の配置枚数が残る領域Ｂ１における長尺フィン７の配置枚数よりも多いため、図１０中の上方への熱伝達量は、領域Ａ１が他の領域Ｂ１よりも多い状態にある。
【０１１９】
したがって、領域Ａ１における着霜の融解は、残りの領域Ｂ１よりも積極的ではあるが、着霜量が多いため、水滴となって除霜が終了するまでには時間を要することになる。
【０１２０】
一方、領域Ｂ１においても同様に着霜を融解するが、伝達される熱量が領域Ａ１よりも少ないため、同様に水滴となって除霜が終了するまでには時間を要することになる。
【０１２１】
これらのことから、着霜量の多い領域Ａ１着霜量の少ない領域Ｂ１を適宜定義し、また、冷却器１Ｂにおいて、除霜が略一様に終了するように領域Ａ１、Ｂ１における長尺フィン７と分割フィン６の配合率を定義することにより、偏った着霜に伴う除霜斑を解消する冷却器１Ｂを得ることができ、しかも、分割フィン６と長尺フィン７の配合率は、冷媒チューブ４の一蛇行列における直管部２の管軸方向に配置したフィン全体の約１０％から約２０％の範囲となるように長尺フィン７の枚数を設定しているため、図３に示す冷却器性能Ｑと空気側熱伝達率ｈを高い範囲で維持した冷却器１Ｂとすることができる。
【０１２２】
したがって、冷凍冷蔵庫における構成の都合等から、冷却室２１Ａにおいて、冷却器１Ｂが傾斜配置となる場合、低位側の領域Ａ１において長尺フィン７の配合率を高くして伝達熱量が多くなるように分割フィン６および長尺フィン７の配列を設定することにより、冷却（熱交換）性能を維持し、除霜特性の優れた冷凍冷蔵庫を構成することができる。
【０１２３】
（実施の形態６）
図１１は、本発明の実施の形態６における物品貯蔵装置の冷却室の内部構成を示す正面側からの模式図である。ここで、物品貯蔵装置とする冷凍冷蔵庫の構成は、先の実施の形態２と同様であるため、冷凍冷蔵庫の説明については図５、図６を援用する。また、本実施の形態６において、先の実施の形態１、２と同じ構成要件には、同一の符号を付して説明し、先の実施の形態２乃至５と相違する構成を主体に説明する。
【０１２４】
図１１において、本実施の形態６についても、先の実施の形態３乃至５と同様に、冷却器１Ｃの構成において、分割フィン６を３５枚から３３枚に減らして長尺フィン７の枚数を５枚から７枚に増やし、特定の領域に偏って長尺フィン７の配合率を変えた構成が先の実施の形態１、２と相違している。
【０１２５】
そして、先の実施の形態２乃至５とは、例えば、冷凍冷蔵庫の構成の関係から、冷却室２１Ｃの開口３０Ｃが冷却器１Ｃに対して偏った位置にあり、この開口３０Ｃより流入する気流ｚに風量分布斑が生じる構成となった点が相違する。
【０１２６】
すなわち、冷却室２１Ｃに配置された冷却器１Ｃにおいて、開口３０Ｃに近い領域Ａ２は、矢印ｚ１（以下、気流ｚ１と称す）で示す如く、通風抵抗が小さく、風量が多い流れとなるが、矢印ｚ２、ｚ３（以下、気流ｚ２、気流ｚ３と称す）で示す如く開口３０Ｃから遠ざかる領域Ｂ２については、通風抵抗が大きくなることに伴い、風量が少なくなる。
【０１２７】
これらのことから、冷却器１Ｃにおいて、風量が多い気流ｚ１が通過する領域Ａ２は、分割フィン６と長尺フィン７を１６枚配置した中で長尺フィン７を４枚配置（配合率２５
％）し、開口３０Ｃから遠ざかり、気流ｚ１よりも風量が少ない気流ｚ２、ｚ３が流れる領域Ｂ２においては、分割フィン６と長尺フィン７を２４枚配置した中で長尺フィン７を３枚配置（配合率１２．５％）した構成としている。
【０１２８】
ここで、領域Ａ２、領域Ｂ２、および各領域Ａ２、Ｂ２における長尺フィン７の配合率は、模式的に定めたものであり、冷却器１Ｃの能力、あるいは冷却器１Ｃを通過する気流の分布等に応じて上記領域Ａ２、領域Ｂ２、および各領域Ａ２、Ｂ２における長尺フィン７の配合率を適宜定める必要があることはいうまでもない。
【０１２９】
上記構成において、冷蔵室１３および冷凍室１４からの気流ｚ１、ｚ２、ｚ３は、開口３０Ｃより冷却室２１Ｃへ流入し、ここで冷却されて再び冷蔵室１３、冷凍室１４を循環する。そして、冷却器１Ｃを通過する際に水分が冷却器１Ｃに付着し、霜へと成長する。
【０１３０】
その着霜は、冷却器１Ｃを通過する風量に比例し、風量の多い領域Ａ２が風量の少ない領域Ｂ２よりも多く成長し、その結果、冷却器１Ｃは、斑の生じた着霜状態となる。
【０１３１】
この斑のある着霜状態において冷却運転が停止し、除霜運転が開始されると、除霜ヒータ８の発熱作用により、冷却器１Ｃの全幅に亘って除霜ヒータ８の熱が照射され、冷却器１Ｃは輻射熱によって加熱される。
【０１３２】
その結果、冷却器１Ｃの着霜は、徐々に溶け始めるが、領域Ａ２における長尺フィン７の配置枚数が残る領域Ｂ２における長尺フィン７の配置枚数よりも多いため、図１１中の上方への熱伝達量は、領域Ａ２が他の領域Ｂ２よりも多い状態にある。
【０１３３】
したがって、領域Ａ２における着霜の融解は、残りの領域Ｂ２よりも積極的ではあるが、着霜量が多いため、水滴となって除霜が終了するまでには時間を要することになる。
【０１３４】
一方、領域Ｂ２においても同様に着霜を融解するが、伝達される熱量が領域Ａ２よりも少ないため、同様に水滴となって除霜が終了するまでには時間を要することになる。
【０１３５】
これらのことから、風量の多い気流ｚ１が通過する領域Ａ２と風量の少ない気流ｚ２、ｚ３が通過する領域Ｂ２を適宜定義し、また、冷却器１Ｃにおいて、除霜が所定時間内で略一様に終了するように領域Ａ２、Ｂ２における長尺フィン７と分割フィン６の配合率を定義することにより、偏った着霜に伴う除霜斑を解消する冷却器１Ｃを得ることができ、しかも、分割フィン６と長尺フィン７の配合率は、冷媒チューブ４の一蛇行列における直管部２の管軸方向に配置したフィン全体の約１０％から約２０％の範囲となるように長尺フィン７の枚数を設定しているため、図３に示す冷却器性能Ｑと空気側熱伝達率ｈを高い範囲で維持した冷却器１Ｃとすることができる。
【０１３６】
したがって、冷凍冷蔵庫における構成の都合等から、冷却室２１Ｃへ流入する気流ｚに風量分布斑が伴う構成の場合、上述の如く着霜量の多い領域において長尺フィン７の配合率を高くして伝達熱量が多くなるように分割フィン６および長尺フィン７の配列を設定することにより、冷却（熱交換）性能を維持し、除霜特性の優れた冷凍冷蔵庫を構成することができる。
【産業上の利用可能性】
【０１３７】
本発明にかかる冷却器は、安定した冷却器性能および優れた除霜特性が得られるもので、冷蔵庫あるいは自動販売機等のように、家庭用から産業用に亘る物品貯蔵装置、さらには冷凍機器の冷却器等に幅広く利用することができるものである。
【符号の説明】
【０１３８】
１  冷却器
１Ａ  冷却器
１Ｂ  冷却器
１Ｃ  冷却器
２  直管部
３  曲管部
４  冷媒チュ−ブ
５  長孔
６  分割フィン
７  長尺フィン
８  除霜ヒ−タ
１１  本体
１３  冷蔵室（貯蔵空間）
１４  冷凍室（貯蔵空間）
１５  断熱扉
１６  断熱扉
１８  圧縮機
１９  放熱器
２０  減圧装置
２１  冷却室
２１Ａ  冷却室
２１Ｂ  冷却室
２１Ｃ  冷却室
２２  送風機
２３  貫通ダクト（通風回路）
２４  供給ダクト（通風回路）
２７  戻りダクト（通風回路）
２８  流入口
２９  戻り口
３０  開口
３０Ａ  開口
３０Ｂ  開口
３０Ｃ  開口
【図１】
2010261678.tif 000003
【図２】
2010261678.tif 000004
【図３】
2010261678.tif 000005
【図４】
2010261678.tif 000006
【図５】
2010261678.tif 000007
【図６】
2010261678.tif 000008
【図７】
2010261678.tif 000009
【図８】
2010261678.tif 000010
【図９】
2010261678.tif 000011
【図１０】
2010261678.tif 000012
【図１１】
2010261678.tif 000013
【図１２】
2010261678.tif 000014
【図１３】
2010261678.tif 000015